(57)【特許請求の範囲】
【請求項１】
断面が略Ｃ型で穴が形成された樹脂製の本体と、前記本体の開口部を介して前記穴の内部に着脱自在に嵌装され且つ断面が略Ｃ型の金属製クランプ体と、前記本体の開口部の一方側に基部が枢動自在に連結され且つ遊端が前記本体の開口部の他方側に着脱自在に係止されるカバー体を備え、温水洗浄便座装置その他の水回り装置の配管連結部が前記本体及び前記金属製クランプ体の双方の開口部をしてスナップアクションをなさしめ、且つ前記カバー体の遊端が前記本体の開口部の他方側に係止されるようにした、クランプ
装置。
【発明の詳細な説明】
【０００１】
【発明の属する技術分野】
本新発明は、温水洗浄便座装置その他の水回り装置における配管連結部に使用されるクランプ装置に関する。
【０００２】
【従来の技術】
周知のように、温水洗浄便座装置においては、配管連結部（分岐栓と給水ホースとの連結部や操作パネル本体と給水ホースとの連結部）は、一方の配管の端部内に他方の配管の端部を嵌入する態様となっている。しかして、前者から後者に水が流れる際、当該水圧（特にウオータハンマー）が後者の端面に作用し、後者を前者から引き抜く危惧があることから、配管連結部は、堅牢に保持されねばない。このため、従来は、配管連結部においては、２本の配管上に共通のナットを螺着にて外嵌していた。
【０００３】
【発明が解決しようとする課題】
しかしながら、上記した温水洗浄便座装置はトイレ空間内に設置された便器に装着されており、トイレ空間は狭小であるので、上記したナットの螺着作業は困難をきわめ、改善が要望されていた。
【０００４】
それ故に、本新発明は、温水洗浄便座装置の配管連結部の堅牢保持を簡単に行える装置を提供することを、その技術的課題とするものである。
【０００５】
【課題を解決するための手段】
上記した技術的課題を解決するために講じた技術的手段は、請求項１に示すように、「断面が略Ｃ型で穴が形成された樹脂製の本体と、前記本体の開口部を介して前記穴の内部に着脱自在に嵌装され且つ断面が略Ｃ型の金属製クランプ体と、前記本体の開口部の一方側に基部が枢動自在に連結され且つ遊端が前記本体の開口部の他方側に着脱自在に係止されるカバー体を備え、温水洗浄便座装置その他の水回り装置の配管連結部が前記本体及び前記金属製クランプ体の双方の開口部をしてスナップアクションをなさしめ、且つ前記カバー体の遊端が前記本体の開口部の他方側に係止されるようにした、クランプ装置。」を構成したことである。
【０００６】
【発明の実施の形態】
本新発明の具体例を、添付図面に基づいて説明する。
【０００７】
図１において、クランプ装置１０は、断面が略Ｃ型で穴１２ａが形成された樹脂製の本体１２を備える。しかして、本体１２の開口部１２ｂは、一対の対向する弾性を有する脚部１２ｃ・１２ｃ間に画成されており、脚部１２ｃ・１２ｃ間の狭小部の長さは、穴１２ａの直径より小さく設定されている。
【０００８】
また、本体１２には、開口部１２ｂに関して１対のスロット１６・１６が対称的に刻設されており、スロット１６・１６の開口部１２ｂ側の端部は棒体１２ｅ・１２ｅとなっている。
【０００９】
クランプ装置１０は、また、断面が略Ｃ型の金属製クランプ体１１を備える。金属製クランプ体１１の開口部１４は、一対の対向する弾性を有する脚部１１ｃ・１１ｃ間に画成されており、脚部１１ｃ・１１ｃ間の狭小部の長さは、穴１１ａの直径より小さく設定されている。
【００１０】
また、金属製クランプ体１１には、開口部１４に関して、上側に位置する一対のスロット３０・３０、並びに下側に位置する一対のスロット３１・３１が対称的に刻設されており、スロット３０（３０）とスロット３１（３１）の間には径外方向に突出する凸部１３（１３）が形成されている。尚、スロット３１・３１は、脚部１１ｃ・１１ｃ内に刻設されている。
【００１１】
かような構成を備える金属製クランプ体１１は、脚部１１ｃ・１１ｃを手でつまんで相互に近接させる態様つまり縮径した状態で、本体１２の開口部１２ｂを通過させて穴１２ａ内に挿入させた後、手を放すと、金属製クランプ体１１が拡開して元の状態に復帰する。そして、金属製クランプ体１１の凸部１３・１３は、本体１２の棒体１２ｅ・１２ｅと係合すると共に本体１２のスロット１６・１６が金属製クランプ体１１のスロット３０・３０と重畳する。
【００１２】
また、図１、図２及び図３に示されるように、本体１２の穴１２ａの開口部１２ｂの一方側の脚部１２ｃにはカバー体１７の基部１７ａが一体成型されている。しかして基部１７ａは薄肉状となっており、カバー体１７は一方側の脚部１２ｃに枢動自在に連結されることになる。一方、カバー体１７の二股状の遊端部１７ｂには突起１８（一方のみ図示）が形成されており、カバー体１７の二股状の遊端部１７ｂを枢動せしめて本体１２の他方側の脚部１２ｃ方向に変移させると、図３に示すように、突起１８が本体１２に形成された凹部１５に係止して、後述するように、配管連結部がロックされるようになっている。
【００１３】
配管連結の例を、図４、図５及び図６に依拠して説明する。分岐金具２０の主要部をなす分岐栓２１と本体給水ホース２２との連結は、本体給水ホース２２の先端部２３が、Ｏリング（図示略）を外装された後、分岐栓２１に嵌入されることによりなされるが、この配管連結を堅牢に保持するために、クランプ装置１０が用いられる。すなわち、前記した嵌入がなされると、分岐栓２１のフランジ２１ａと本体給水ホース２２の先端部２３のフランジ２３ａが対向して面接触状態つまり係合状態となる。開放状態にある図２に示すクランプ装置１０の本体１２の開口部１２ｂ（金属製クランプ体１１の開口部１４は、開口部１２ｂに内包される）を、対向面接触係合状態にある分岐栓２１のフランジ２１ａ及び本体給水ホース２２の先端部２３のフランジ２３ａ上、つまり配管連結部上に持っていき、しかる後にクランプ装置１０の本体１２の開口部１２ｂを下降させれば、分岐栓２１のフランジ２１ａ及び本体給水ホース２２の先端部２３のフランジ２３ａは、開口部１２ｂ（開口部１４）に対してスナップアクションを起こさしめた後に、穴１２ａ（穴１１ａ）内に挿入され、特に図５及び図６から明瞭に理解されるように、スロット１６・１６（スロット３０・３０）内に嵌着される。そして、この嵌着状態にある配管連結部は、カバー体１７を凹部１５側の脚部１２ｃ側に回動変移せしめ、突起１８を凹部１５内に嵌合させれば、ロックされて、本体１２及び金属製クランプ体１１からの離脱が不能となる。
【００１４】
上記した作業は、図２に示す開放状態にあるクランプ装置１０を、配管連結部方向に変移嵌着してロックするだけであるので、配管連結部が狭小な空間に位置していても、工具なしで、容易に行える。
【００１５】
尚、図７に示すように、本体給水ホース２６の先端部２６ａを給水ソケット２４の先端部２４ａ内に挿入し、本体給水ホース２６の先端部２６ａのフランジ２５が本体給水ホース２６の先端部２６ａ上のフランジ２７とが係合状態になっても、クランプ装置１０を用いて、上記した態様で、配管連結部を堅牢に保持できる。
【００１６】
以上、本新発明の具体例について説明したが、本新発明は上述した具体例に限定されるものではなく、本新発明の趣旨に沿った形態の方法・装置であれば、どのようなものでもよい。
【００１７】
【発明の効果】
以上述べたように、本新発明によれば、開放状態にあるクランプ装置を、配管連結部方向に変移嵌着してロックするだけであるので、配管連結部が狭小な空間に位置していても、工具なしで、取り付け作業を容易に行える。
【図面の簡単な説明】
【図１】本新発明が具現化されるクランプ装置の分解斜視図である。
【図２】図１のクランプ装置の組み付けられときの開放状態を示す斜視図である。
【図３】図２のクランプ装置がロック状態になったときの概念図である。
【図４】クランプ装置が適用される配管連結部の分解斜視図である。
【図５】クランプ装置が適用された配管連結部の断面図である。
【図６】図５のＡ−Ａ線に沿う断面図である。
【図７】クランプ装置が適用される他の配管連結部の分解斜視図である。
【符号の説明】
１１    金属製クランプ体
１２    樹脂製の本体
１２ａ    本体の穴
１４    金属製クランプ体の開口部
１７    カバー体
１７ａ    カバー体の基部
１７ｂ    カバー体の遊端
【図１】
0003758135.tif 000002
【図２】
0003758135.tif 000003
【図３】
0003758135.tif 000004
【図４】
0003758135.tif 000005
【図５】
0003758135.tif 000006
【図６】
0003758135.tif 000007
【図７】
0003758135.tif 000008